(57)【要約】【課題】生花やプリザーブドフラワーの花やドライフラワーの花から生け花、装身具やアクセサリーパーツの利用などが求められている。【解決手段】生花だけではなく、天然繊維素材の綿、シルバー、麻など種々の材質に応じ、水性樹脂コーティング加工の特長を生かして装身具等に用いられる造花を作る。【選択図】図３
2015214769.tif 000002
【特許請求の範囲】
【請求項１】
生花又はプリザーブドフラワーの花片に水性樹脂コーティング加工をして前記花片に立体感を施す工程と、
前記花片の背面に天然繊維素材の布片を重ねた二重片の裏にさらに水性樹脂コーティング加工をして二重片を互いに密着させ強度と弾性を施す工程と、
前記二重片を乾燥させる工程と、
前記二重片の一方の布片の周辺を花片と揃えかつ水性樹脂コーティングを塗布した箇所で切り取る工程とを含み、
部分的に隣接する複数の二重片を水平方向外方に向う数回の円弧で組み合せて底部で結合した、装身具等に使用する造花の加工方法。
【請求項２】
水性樹脂コーティングは、アクリル樹脂又はウレタン樹脂の水溶液であり、天然繊維素材の布片の材質に応じて水分濃度を調節して加工するに適した、請求項１記載の造花の加工方法。
【請求項３】
天然繊維素材の布片は、シルク、綿、麻等のいずれかの布片である、請求項１記載の造花の加工方法。
【請求項４】
請求項１記載の二重片の一方の布片の周辺は水性樹脂コーティングを塗布した位置ではさみ等で切り取られても該位置における布片の糸はほつれない、造花の加工方法。
【発明の詳細な説明】
【技術分野】
【０００１】
本発明は、生花、繊維織物その他天然の素材から、創造的な手段によって美しい造花を作成する方法に関し、発明者はこのような造花を利用して新しく魅力的な装身具としての商品、ブローチ、ネックレス、イヤリング等のアクセサリーやインテリアデコレーション用品を発案して世に広め、産業の発展に寄与することを目指す。
【背景技術】
【０００２】
日本では遥か昔より広く花を好む傾向があり、樹枝、草花などを適当に切り、花器にさして生け花として飾る習慣がある。生け花は、一つの技術として多くの人々、特に若い女性たちによって学ばれている。最近は、押し花とかドライフラワーとか、更に生花等を合成樹脂で埋封する技術がある。しかし、これは平面的であったり、自然感に欠けていた。生花には、特殊な保存処理を施すことにより、天然素材である花の美感を数年間維持できるプリザーブドフラワーが近年盛んである。プリザーブドフラワーは、生花に含まれる水分を急速に除去し、グリセリン系置換薬液に浸漬したのち乾燥して完成される。花の色、形が長期間保存される。
この他、紙・糸・布等で花の形を模し人工の花を造る造花の作成も広く行われてきた。これとは異なる方法で、本件の発明者は、造花の加工を重要視し、これによって美しい造花の作成が様々なアクセサリーパーツ等に加工されて現実の生活環境で多数の人に好まれ盛んに使用されることを望んでいる。
【先行技術文献】
【特許文献】
【０００３】
【特許文献１】特開２００９−２８０９３８号公報（特許第４３６２１４４号公報）  この文献は、長期間退色が起こらないプリザーブドフラワー加工品の製造方法の一例である。その特許請求の範囲の「請求項１」は、ある花の形状をしたプリザーブドフラワーの花びらを分離する工程と、分離された前記花びらごとに樹脂コーティングを形成する工程と、樹脂コーティングされた前記花びらを結合し、もとの花の形状を再現する工程とを示す。ここには本発明の示すような天然の素材の独特な使用はない。
【特許文献２】特開２００６−５７２０３号公報  各花弁を青色に着色した後に、アクリル樹脂でコーティングするとあり、着色を主にし、強度を増すことを述べるが、水溶液の効果について述べていない。
【特許文献３】特開２００７−１７６９４１号公報（特許第５２５３７３３号公報）  この文献では液体樹脂のコーティング加工を述べるが、植物体の色素の抜け出しを防ぐもので、本件における水溶液の使用とは目的が異なる。
【特許文献４】特開２００９−１０７９７１号公報  この文献は、プリザーブドフラワー等を主とした場面で生花を加工液に浸漬させる点を述べるものであり、本件の水性コーティング加工とは異なる。
【特許文献５】特開２００６−６９１２４号公報（特許第３９５７２１６号公報）  この文献では、プリザーブドフラワーの花びらのすべてを一枚ずつ分離して重ね合わせる等の工程は含まれているが、本発明のような他の天然の素材の利用はなく、また水性コーティングをもって接着剤に代える発明はない。
【発明の概要】
【発明が解決しようとする課題】
【０００４】
生花や、生花を例えばプリザーブドフラワー等に処理する場合でも、特別大きい種類の花は別として、普通の花片は薄く弱いものであるから、加工するときに傷つけたり壊したりし易い。プリザーブドフラワーの花びらはとくに水分に弱いという欠点がある。さらに、目的とする商品の美感、質感、丈夫さ等が損なわれることを避けなければならない。
【課題を解決するための手段】
【０００５】
本発明では、生花、プリザーブドフラワーの花片を一方に、また天然繊維素材の布片等を他方に、造花を組み立てる一対の基本材とする。その上で、前記一対の基本材を一体化するための水性樹脂コーティングの加工処理を施すことで発明が成り立つ。
【０００６】
具体的な一例を挙げると次のとおりである。
プリザーブドフラワーの花片に水性樹脂コーティング加工を施すと、同花片の全体がやや不動の形態を示し立体感を感じさせる。次いで、前記花片背面にそれよりやや大きめのシルクの布片を重ね、裏面より水性樹脂コーティング剤を塗布すると、シルク片は前記花片の裏に密着される。二重片となった花片と布片は乾燥されて二重の花びらとなる。この花びらは強度を増し、立体感も安定する。シルク片の周囲を花びらの形に沿い、さらにコーティング剤を塗布した箇所に沿ってはさみ等で切り落とすと二重片からなる花びらが出来上がる。切った個所は、接着剤を塗るとか、糸で縫うなどしなくとも、切った個所の繊維の糸がほつれるようなことはないことが判明した。むしろ、切り口は自然の質感を示した。
また、乾燥までの過程で、二重片の花びらに凸凹を与えたり、全体をねじったりするなど自由に好みの形を作ることが出来、弾性を残しながら一定の形にとどまる。
【０００７】
上記の手段により、大小の二重片からなる多数の花びらを作成することが出来る。そして、これらの花びらは装身具やインテリアデコレーション用等の造花を作成するための基本材として提供される。
【０００８】
［花の組立て］
二重片の花びらを組み立てて花、すなわち造花を作る方法として数例を挙げる。
（１）  複数のそれぞれ横方向に部分的にずれて相隣接する二重片の花びらが内側から外側へ二重、三重ほどの円弧を画くと全体に花の姿が組み立てられる。二重片の重なる底面付近の水性樹脂コーティング加工により全体が底部で結合される。図４、図５に示すように、蕊（ずい）と称する中心部にめしべ、おしべにかわるものを飾ると良い。
（２）  図２に示すように、花の中心に実物の花心を入れ、周囲に（１）に倣う円弧を設ける。
（３）  （１）または（２）に倣う花を作り、水性樹脂コーティング剤を塗布された周囲に切り分けて広がるレース製の萼の上に支持されるように作られ、置かれるようにする。
【０００９】
［水性樹脂コーティング］
本発明で使われる生花、プリザーブドフラワー、布、糸、レース等天然繊維素材その他材料の処理にアクリル樹脂、ウレタン樹脂等が必要とされる。特に樹脂を水に分散する場合、水に溶けて透明になる水溶性樹脂が必要で塗布される。本発明で水性樹脂は必須で、水性樹脂コーティングまたは水性コーティングと呼ぶ。
また、樹脂は異種の物質と接着性、粘着性、密着性、付着製があるとされる（株式会社工業調査会発行「プラスチック大辞典1994年10月7日初版  第1刷」）。本特許出願、請求項１記載の水性樹脂コーティング加工の効果は上記自然法則に基づく。
【００１０】
［多種にわたる天然繊維素材その他の特殊な材料の利用］
先ず、天然繊維の素材についてみると、シルク、綿、麻、レース等の布と各種の繊維の糸がある。上記のように、これらのいくつかは造花の材料としてそれぞれに特有の性格を有し、異なる用途に適応することが実験によって確認された。
一般に、前記したように、上記の素材の劣化防止、綿織物の防皺、羊毛の防縮等に種々の樹脂加工が検討されているといわれる。
本件に関しては、本発明者は以前から水性樹脂による各種繊維素材、生花を含む植物の保護、利用を検討し、特に水性樹脂コーティング剤の効果と、前記天然素材との有用性について、実験的に理解してきた。
【００１１】
発明者は、次のような種類の天然の素材を用いるとともに、水性樹脂コーティング剤の水分濃度を替えながら最も適切な結果を選択した。水性樹脂コーティング剤の水分濃度の薄いものから濃いものへ３段階に分け（薄いから濃いへの段階Ａ−Ｂ−Ｃ）実験し、次の結果を得た。
ａ）  シルク製の布片に円弧を画き、それに沿ってＡランクの水性コーティングを塗布し、ほぼ乾いたところで円弧に沿ってはさみで切り抜いた。円弧は十分ほつれ難い状態だった。
同様のことを和紙、リボンの先端、糸を束ねた下端（水平方向に切断）に施し、これらがＡランクに適切だったとの判断を得た。
その他、上記の素材についてのＡコーティング加工の結果について、水分に強い，形態保存に有効，強度を高める，弾力性がある，原料の風合いを保つ，などの効果が得られた。
ｂ）  花関連のプリザーブドフラワーやバラ（Ｌ１輪、ブライダルホワイト）の花を含む厚めの素材、及びレース全般・綿・麻等については、Ｂコーティングが適切との判断を得た。
ｃ）  Ｃコーティングに適切とされたのは、フラワーパーツ、アクセサリー、インテリア等のパーツ等であった。なお、バラ以外の生花の場合については、花により効果は異なることが判明した。
本発明者は、樹脂の有する物質的特質を研究し、その科学的特徴として分子の中に水とのあいだの相互作用に強い極性基が含まれていることに注目した。従って生花等の植物とか天然繊維素材から造花の作成に当たっての樹脂水溶液との関係から成り立つことを知るに至った。次のとおりである。
【００１２】
プラスチックの平板状の成形品が成形後に内部応力の緩和や収縮のために凹状または凸状に変形する。対角線方向の変形は捩れが発生しやすい。樹脂は異種の物質と接着性、粘着性、密着性、付着性がある。物体Ａ、Ｂを被着体（adherend）、物質Ｃを接着剤（adhesive）という。これらの間には、化学結合による力と分子間相互作用による力（水素結合力）（ファン・デル・ワールス力）が存在する。
【００１３】
長期間の生花の保持にせよ、造花で装身具を作るにせよ、多くの場合樹脂加工が求められ、アクリル樹脂、ウレタン樹脂、エポキシ樹脂が用いられる。これらは花の質感、強度、目的等によって異なる場合がある。また、水性樹脂と油性樹脂の違いがあり、水性樹脂は花を加工する前段階で使用され、油性樹脂は完成してから塗布される場合が多い。ドライフラワーには水性樹脂を使うことはできない。また、油性樹脂は火が点き易く、注意が必要といわれている。本件発明では、主として水性樹脂が用いられる。
【発明の効果】
【００１４】
本発明における装身具等のための造花とその素材の加工を行うことにより、次のような発明の効果が得られた。
（１）  水性コーティングには機能として接着性があることから、プリザーブドフラワーの花びらとシルクや綿等の布片とを重ねコーティング加工したところ互いに密着し、さらに立体感を生じたという効果があった。また、立体感があるということから、花の高さを増す効果も意味する。
（２）  前記立体感は、さらに強度を与えた効果もある。
（３）  水性コーティングの使用は、単なるシルクや綿の布片のみに対しても、これをワイヤなしでも塗布した個所に立体感を与えるという効果があった。
（４）  シルクや綿の布片の端に水性コーティングを塗布したところ、この端の部分は容易に内側に折り曲げられ、その位置を保持した。これを元の位置へ起こしても曲げられた位置へ戻る力を示した。すなわち、弾性の効果も示した。
（５）  シルクや綿の布片に水性コーティングを塗布し、乾燥した位置で布片をはさみで切り落とした個所で糸のほつれは全く示さなかった。シルクや綿の糸を複数束ねて水性コーティングを加工した個所で切り落とした場合も糸のほつれは示さなかった。
要するに、水性樹脂と花びらやその他天然繊維素材との加工の結果生じた発明の効果は、接着、強度、立体感、高さの増加、弾性、形の保持、ほつれの欠如、等であった。
【図面の簡単な説明】
【００１５】
【図１】プリザーブドフラワーから作った花
【図２】実物の花心を入れた造花
【図３】レースに囲まれた造花
【図４】パールを中心に置いたフラワーパーツ
【図５】布地の造花
【図６】裏にシルクの布片を密着させたプリザーブドフラワーの二重片の花びら
【図７】細いワイヤーを被った綿布片
【図８】太めのワイヤーを被った綿布片
【図９】コーティングして縁を巻き込んだ綿布片
【図１０】コーティングして縁を巻き込んだ綿布片
【図１１】コーティングしたレースの切り抜いた一部
【図１２】コーティングした縁の一部を巻き込んだシルク布片
【図１３】コーティングした細長い一部を含むシルク布片
【発明を実施するための形態】
【００１６】
二重片の花びらを組み立てて花、すなわち造花を作る方法として数例を挙げる。
（１）  複数のそれぞれ横方向に部分的にずれて相隣接する二重片の花びらが内側から外側へ二重、三重ほどの円弧を画くと全体に花の姿が組み立てられる。二重片の重なる底面付近の水性樹脂コーティング加工により全体が底部で結合される。図４、図５に示すように、蕊（ずい）と称する中心部にめしべ、おしべにかわるものを飾ると良い。
（２）  図２に示すように、花の中心に実物の花心を入れ、周囲に（１）に倣う円弧を設ける。
（３）  （１）または（２）に倣う花を作り、水性樹脂コーティング剤を塗布された周囲に切り分けて広がるレース製の萼の上に支持されるように作られ、置かれるようにする。
これらの造花は、生花やプリザーブドフラワーの他に天然繊維素材の中の適切な素材から布片を選択し、選択した素材に適切な水性コーティングを選択していることから良い結果が得られる。出来上がった造花を内側に押すと内方に収縮するが、手を放すと元に戻る十分な弾性を示す。又、切り取って加工した部分に糸のほつれは見られない等の点から理解し得る。
【図１】
2015214769.tif 000003
【図２】
2015214769.tif 000004
【図３】
2015214769.tif 000005
【図４】
2015214769.tif 000006
【図５】
2015214769.tif 000007
【図６】
2015214769.tif 000008
【図７】
2015214769.tif 000009
【図８】
2015214769.tif 000010
【図９】
2015214769.tif 000011
【図１０】
2015214769.tif 000012
【図１１】
2015214769.tif 000013
【図１２】
2015214769.tif 000014
【図１３】
2015214769.tif 000015